(57)【特許請求の範囲】
【請求項１】
シークレットデータを記憶するデータ記憶手段と、
表示された複数の絵文字のなかからユーザが選択した少なくとも１つの絵文字を入力する絵文字入力手段と、
この絵文字入力手段により入力された絵文字に対して特定の色を指定するためのカラーデータを入力するカラーデータ入力手段と、
前記絵文字入力手段により入力された絵文字と前記カラーデータ入力手段により入力されたカラーデータとをパスワードデータとして登録するパスワードデータ登録手段と、
前記データ記憶手段からシークレットデータを読み出す際に、ユーザ操作により絵文字とカラーデータとを入力するパスワード入力手段と、
このパスワード入力手段により入力された絵文字とカラーデータとが前記パスワードデータ登録手段により登録された絵文字とカラーデータとに一致するか否かを判別する判別手段と、
この判別手段により一致すると判別された場合に、前記データ記憶手段に記憶されているシークレットデータを読み出す制御手段と
を具備したことを特徴とするシークレットデータ記憶装置。
【請求項２】
さらに、前記絵文字入力手段により入力された絵文字を、前記カラーデータ入力手段により入力されたカラーデータに応じた色でカラー表示する表示手段を備えたことを特徴とする請求項１記載のデータ記憶装置。
【請求項３】
記憶されているシークレットデータを、コンピュータにより読み出し可能に制御するシークレットデータの読み出し方法において、
表示された複数の絵文字のなかからユーザが選択した少なくとも１つの絵文字を入力する絵文字入力ステップと、
この絵文字入力ステップにより入力された絵文字に対して特定の色を指定するためのカラーデータを入力するカラーデータ入力ステップと、
前記絵文字入力ステップにより入力された絵文字と前記カラーデータ入力ステップにより入力されたカラーデータとをパスワードデータとして登録するパスワードデータ登録ステップと、
シークレットデータを読み出す際に、ユーザ操作により絵文字とカラーデータとを入力するパスワード入力ステップと、
このパスワード入力ステップにより入力された絵文字とカラーデータとが前記パスワードデータ登録ステップにより登録された絵文字とカラーデータとに一致するか否かを判別する判別ステップと、
この判別ステッにより一致すると判別された場合に、記憶されているシークレットデータを読み出す制御ステップと
を具備したことを特徴とするシークレットデータの読み出し方法。
【発明の詳細な説明】
【０００１】
【発明の属する技術分野】
本発明は、例えば住所，電話番号，スケジュール，メモ等の情報を記憶して管理する電子手帳等のシークレットデータ記憶装置及びシークレットデータの読み出し方法に関する。
【０００２】
【従来の技術】
例えば電子手帳のように、様々な種類のデータを記憶させておき、必要に応じて表示させて確認を行なう情報記憶管理装置では、特定のユーザ以外の他人に知られたくないデータや重要なデータをシークレットデータエリアに記憶させ、予め登録したユーザ固有のパスワードと入力したパスワードとの照合一致が得られた場合にのみ、前記シークレットデータエリアへのアクセスが可能になるようにしたシークレット機能を有するものがある。
【０００３】
【発明が解決しようとする課題】
従来、このようなシークレット機能のパスワードとしては、主に、数字４桁を組合わせたものや文字又は記号を組合わせたものが利用されているが、他人に解りにくいパスワードを設定するために、例えばランダムな数字の組合わせや文字又は記号の組合わせを行なうと、ユーザ本人も非常に覚えにくく、また、シークレットデータエリアへのアクセスに際し非常に入力しにくい問題がある。
【０００４】
本発明は、前記のような問題に鑑みなされたもので、特定ユーザには覚えやすく他人には解りにくいパスワードにより、シークレットデータをアクセスすることが可能になるデータ記憶装置を提供することを目的とする。
【０００５】
【課題を解決するための手段】
すなわち、本発明の請求項１に係わるシークレットデータ記憶装置は、表示された複数の絵文字のなかからユーザが選択した少なくとも１つの絵文字を入力する絵文字入力手段と、この絵文字入力手段により入力された絵文字に対して特定の色を指定するためのカラーデータを入力するカラーデータ入力手段と、前記絵文字入力手段により入力された絵文字と前記カラーデータ入力手段により入力されたカラーデータとをパスワードデータとして登録するパスワードデータ登録手段と、前記データ記憶手段からシークレットデータを読み出す際に、ユーザ操作により絵文字とカラーデータとを入力するパスワード入力手段と、このパスワード入力手段により入力された絵文字とカラーデータとが前記パスワードデータ登録手段により登録された絵文字とカラーデータとに一致するか否かを判別する判別手段と、この判別手段により一致すると判別された場合に、前記データ記憶手段に記憶されているシークレットデータを読み出す制御手段とを具備したことを特徴とする。
【０００６】
また、本発明の請求項２に係わるシークレットデータ記憶装置は、さらに、前記絵文字入力手段により入力された絵文字を、前記カラーデータ入力手段により入力されたカラーデータに応じた色でカラー表示する表示手段を備えたことを特徴とする。
【０００７】
つまり、本発明に係わるシークレットデータ記憶装置では、ユーザが選択して入力された絵文字と、この絵文字に対して入力されたカラーデータの２種類の入力データをパスワードデータとして登録し、シークレットデータを読み出す際にユーザ操作により絵文字とカラーデータとの２種類のデータを入力して、これら２種類のデータを用いたパスワードの一致によりシークレットデータを読み出すことが可能になる。
【０００８】
そして、パスワードデータ登録の際に、前記入力された絵文字が、前記カラーデータ入力手段により入力されたカラーデータに応じた色でカラー表示されて、絵文字と色で登録するパスワードを視覚的に確認することができる。
【０００９】
【発明の実施の形態】
以下図面により本発明の実施の形態について説明する。
図１は本発明のデータ記憶装置の実施形態に係わる電子手帳の電子回路の構成を示すブロック図である。
【００１０】
この電子手帳は、制御部（ＣＰＵ）１１を備えている。
制御部（ＣＰＵ）１１は、キー入力部１２からのキー操作信号に応じて、ＲＯＭ１３に予め記憶されているシステムプログラムを起動させ、回路各部の動作制御を行なうもので、この制御部（ＣＰＵ）１１には、前記キー入力部１２，ＲＯＭ１３の他、絵文字／文字フォントメモリ１４、パスワード編集メモリ１５、パスワード格納メモリ１６、ＲＡＭ１７が接続されると共に、カラーディスプレイドライバ１８を介して液晶カラーディスプレイ１９が接続される。
【００１１】
キー入力部１２には、各種データ入力を行なうためのひらがな，英字，数字，記号等のキー群からなる文字キー１２ａ、絵文字の入力モードに設定する際に操作される「絵文字」キー１２ｂ、かな漢字変換や挿入，削除，動作モードの設定等、各種機能指定を行なうためのキー群からなる制御キー１２ｃ、赤，青，緑のカラー指定を行なうためのカラーキー１２ｄ、データの登録を指示する際に操作される「登録」キー１２ｅ、データの照合を指示する際に操作される「照合」キー１２ｆ、シークレットモードに設定する際に操作される「シークレット」キー１２ｇ、表示画面上でのカーソル移動，データ選択を行なうためのカーソルキー１２ｈ等が備えられる。
【００１２】
ＲＯＭ１３には、この電子手帳の全体動作を司るシステムプログラムが予め記憶されると共に、電話帳モード，メモモード，スケジュールモード等の各種の動作モード処理を司るモード処理プログラム、そして、パスワードの登録／照合処理プログラム等、多数のサブプログラムが予め記憶される。
【００１３】
絵文字／文字フォントメモリ１４には、動物，食物，乗物，季節等の様々なジャンルの多数の絵文字のフォントパターンが予め記憶されると共に、キー入力部１２の文字キー１２ａにより入力可能な全ての文字のフォントパターンが予め記憶されるもので、キー入力された文字や絵文字のコードデータは、この絵文字／文字フォントメモリ１４により対応するフォントパターンに変換されて表示出力される。
【００１４】
パスワード編集メモリ１５には、前記シークレットモードの設定状態において、前記キー入力部１２により、例えば絵文字と当該絵文字に付されたカラーデータとの組合わせにより入力されるパスワードが順次書き込まれる。
【００１５】
パスワード格納メモリ１６には、前記パスワード編集メモリ１５にて編集されたパスワードが、前記キー入力部１２における「登録」キー１２ｅの操作に応じて転送され格納される。
【００１６】
ＲＡＭ１７には、入力バッファ１７ａ、表示バッファ１７ｂ、通常アクセス可能なデータメモリ１７ｃ、シークレットデータメモリ１７ｄ、登録済みフラグレジスタ１７ｅ等が備えられる。
【００１７】
入力バッファ１７ａには、キー入力データが一時的に記憶保持される。
表示バッファ１７ｂには、液晶カラーディスプレイ１９に表示すべき表示データがビットマップ形式で記憶される。
【００１８】
通常アクセス可能なデータメモリ１７ｃには、各種の手帳モードにおいてキー入力されて登録される住所，電話番号，スケジュール，メモ等のデータが記憶される。
【００１９】
シークレットデータメモリ１７ｄには、シークレットモードでのパスワードの照合一致によりアクセス可能な住所，電話番号，スケジュール，メモ等の各種のデータが記憶される。
【００２０】
登録済みフラグレジスタ１７ｅには、前記パスワード格納メモリ１６にユーザ固有のパスワードが登録されたことを示すパスワード登録済みフラグＦがセットされる。
【００２１】
前記表示バッファ１７ｂに記憶される表示データは、キー入力部１２のカラーキー１２ｄの操作に応じたカラー表示データとして展開され、カラーディスプレイドライバ１８を介して液晶カラーディスプレイ１９にカラー表示される。
【００２２】
次に、前記構成による電子手帳の動作について説明する。
図２は前記電子手帳におけるパスワード登録／照合処理を示すフローチャートである。
【００２３】
図３は前記電子手帳におけるパスワード登録／照合処理に伴なうカラーパスワードの入力表示状態を示す図である。
＜パスワード登録処理＞
まず、ユーザ固有のパスワードを登録する際に、キー入力部１２における「シークレット」キー１２ｇを操作すると、パスワード編集メモリ１５の内容がクリアされ、ＲＡＭ１７内の登録済みフラグレジスタ１７ｅにおいてパスワード登録済みフラグＦが“１”にセットされているか、つまり、パスワード格納メモリ１６にパスワードが既に登録されているか判断される（ステップＳ１→Ｓ２，Ｓ３）。
【００２４】
このステップＳ３において、前記パスワード登録済みフラグＦは“１”にセットされてない、つまり、前記パスワード格納メモリ１６にはパスワードが登録されてないと判断されると、カラーディスプレイ１９に対し、登録用パスワードの絵文字入力要求メッセージ「パスワード（絵文字）？」が表示される（ステップＳ３→Ｓ４）。
【００２５】
ここで、キー入力部１２の「絵文字」キー１２ｂを操作すると、絵文字のジャンルを示す「動物」「食物」「乗物」「季節」等の絵文字メニュー画面がカラーディスプレイ１９に対し表示されるもので、この絵文字メニュー画面において、例えば「動物」のジャンルをカーソルキー１２ｈを操作して選択すると、絵文字／文字フォントメモリ１４に予め記憶されている多数の動物を示す絵文字フォントパターンが読出されカラーディスプレイ１９に一覧表示される。
【００２６】
この動物絵文字の一覧表示画面において、任意の動物の絵文字を前記カーソルキー１２ｈを操作して指定すると、指定された動物絵文字がカラーディスプレイ１９に表示されると共にパスワード編集メモリ１５に記憶される（ステップＳ５→Ｓ６）。
【００２７】
この絵文字の選択入力がなされると、カラーディスプレイ１９に対し、前記入力された絵文字に対するカラー設定要求メッセージ「パスワード（カラー）？」が表示される（ステップＳ７）。
【００２８】
ここで、キー入力部１２のカラーキー（赤，青，緑）１２ｄを選択的に操作して前記入力された動物絵文字に対する任意のカラーを設定すると、当該設定されたカラー指定データが前記パスワード編集メモリ１５に記憶された動物絵文字データに付加されて記憶される（ステップＳ８→Ｓ９）。
【００２９】
すると、カラーディスプレイ１９に対し、パスワードの登録確認メッセージ「登録？」が表示される（ステップＳ１０）。
ここで、キー入力部１２の「登録」キー１２ｅを操作せずに一定時間が経過すると、再び前記ステップＳ４以降の処理に戻り、登録用パスワードとしての２つ目の絵文字データ及びそのカラー指定データの組合わせ設定が行なえる（ステップＳ１１→Ｓ４〜Ｓ１０）。
【００３０】
すなわち、前記ステップＳ４〜Ｓ１１における登録用パスワードの設定処理において、例えば１番目の絵文字及びそのカラー指定データとして「きつね（緑）」を設定し、続いて、２番目の絵文字及びそのカラー指定データとして「たぬき（赤）」を設定すると、カラーディスプレイ１９には、図３に示すように、緑色の狐の絵文字と赤色の狸の絵文字とが登録用のパスワードとして表示された状態となる。
【００３１】
こうして、任意の絵文字データとそのカラー指定データとが設定され、前記カラーディスプレイ１９に表示されると共に、パスワード編集メモリ１５に編集記憶された状態で、キー入力部１２の「登録」キー１２ｅを操作すると、ＲＡＭ１７内の登録済みフラグレジスタ１７ｅにおけるパスワード登録済みフラグＦが“１”にセットされると共に、前記パスワード編集メモリ１５に記憶された絵文字及びそのカラー指定データの組合わせからなるパスワードデータがパスワード格納メモリ１６に転送されて格納登録される（ステップＳ１１→Ｓ１２，Ｓ１３）。
【００３２】
＜パスワード照合処理＞
ＲＡＭ１７内のシークレットデータメモリ１７ｄに対するデータアクセス（シークレットデータの表示，削除，変更，追加等）を行なうために、キー入力部１２における「シークレット」キー１２ｇを操作すると、パスワード編集メモリ１５の内容がクリアされ、ＲＡＭ１７内の登録済みフラグレジスタ１７ｅにおいてパスワード登録済みフラグＦが“１”にセットされているか、つまり、パスワード格納メモリ１６にパスワードが既に登録されているか判断される（ステップＳ１→Ｓ２，Ｓ３）。
【００３３】
このステップＳ３において、前記パスワード登録済みフラグＦは“１”にセットされている、つまり、前記パスワード格納メモリ１６にパスワードが登録されていると判断されると、カラーディスプレイ１９に対し、照合用パスワードの絵文字入力要求メッセージ「パスワード（絵文字）？」が表示される（ステップＳ３→Ｓ１４）。
【００３４】
ここで、前記ステップＳ５〜Ｓ１９におけるパスワード設定処理と同様にして、照合用パスワードとしての絵文字及びそのカラー指定データを入力すると、入力された絵文字がそのカラー指定データに応じた色でカラーディスプレイ１９に表示されると共に、当該絵文字データ及びそのカラー指定データがパスワード編集メモリ１５に記憶される（ステップＳ１５〜Ｓ１９）。
【００３５】
すると、カラーディスプレイ１９に対し、パスワードの照合確認メッセージ「照合？」が表示される（ステップＳ２０）。
ここで、キー入力部１２の「照合」キー１２ｆを操作せずに一定時間が経過すると、再び前記ステップＳ１４以降の処理に戻り、照合用パスワードとしての２つ目の絵文字データ及びそのカラー指定データの組合わせ入力が行なえる（ステップＳ２１→Ｓ１４〜Ｓ２０）。
【００３６】
例えば前記ステップＳ１４〜Ｓ２１における照合用パスワードの入力処理において、例えば１番目の絵文字及びそのカラー指定データとして「きつね（緑）」と入力し、続いて、２番目の絵文字及びそのカラー指定データとして「たぬき（赤）」と入力し、パスワード編集メモリ１５に記憶させると共に、カラーディスプレイ１９に対し、図３に示すように、緑色の狐の絵文字と赤色の狸の絵文字とが照合用のパスワードとして表示された状態で、キー入力部１２の「照合」キー１２ｆを操作すると、当該パスワード編集メモリ１５に記憶された照合用パスワードデータと前記パスワード格納メモリ１６に記憶された登録済みパスワードデータとが一致するか否か判断される（ステップＳ２１→Ｓ２２）。
【００３７】
前記パスワード編集メモリ１５に記憶された緑色の狐の絵文字データと赤色の狸の絵文字データとからなる照合用パスワードデータと、前記パスワード格納メモリ１６に記憶された緑色の狐の絵文字データと赤色の狸の絵文字データとからなる登録済みパスワードデータとが一致すると判断されると、ＲＡＭ１７内のシークレットデータメモリ１７ｄに記憶されているシークレットデータが読み出されて表示され、当該シークレットデータに対する削除，変更，追加等の処理が行なえるようになる（ステップＳ２２→Ｓ２３）。
【００３８】
一方、前記パスワード格納メモリ１６に記憶された緑色の狐の絵文字データと赤色の狸の絵文字データとからなる登録済みパスワードデータに対し、前記パスワード編集メモリ１５に記憶された照合用パスワードデータが不一致と判断されると、入力された照合用パスワードが不一致であることを示すメッセージがカラーディスプレイ１９に対して表示される（ステップＳ２２→Ｓ２４）。
【００３９】
したがって、前記構成の電子手帳によれば、キー入力部１２の「シークレット」キー１２ｇを操作してシークレットモードを設定した状態で、絵文字キー１２ｂ，カラーキー（赤，青，緑）１２ｄ等を選択的に操作して、任意の絵文字データ及びそのカラー指定データとの組合わせからなる登録用のパスワードを入力表示させてパスワード編集メモリ１５に記憶させ、「登録」キー１２ｅを操作すると、当該登録用パスワードデータがパスワード格納メモリ１６に格納されて登録される。この後、同様のパスワード入力処理により照合用のパスワードデータを入力して前記パスワード編集メモリ１５に記憶させ、「照合」キー１２ｆを操作した際に、前記パスワードメモリ１６に記憶された登録済みパスワードデータと今回入力してパスワード編集メモリ１５に記憶された照合用パスワードデータとが一致すると、ＲＡＭ１７内のシークレットデータメモリ１７ｄに記憶されるシークレットデータのへのアクセスが行なえるので、ユーザには覚えやすく且つ他人には解りにくいパスワードにてシークレットデータのアクセスを行なうことができる。
【００４０】
なお、前記実施の形態では、絵文字データとそのカラー指定データとの組合わせによりパスワードを構成したが、その他の図形データとそのカラー指定データとの組合わせ、あるいは文字データとそのカラー指定データとの組合わせによりパスワードを構成した場合でも、前記同様、特定のユーザにはより覚えやすく、他人にはより解りにくいパスワードにてシークレットデータへのアクセスを行なうことができるようになる。
【００４１】
【発明の効果】
以上のように、本発明に係わるシークレットデータ記憶装置によれば、ユーザが選択して入力された絵文字と、この絵文字に対して入力されたカラーデータの２種類の入力データをパスワードデータとして登録し、シークレットデータを読み出す際にユーザ操作により絵文字とカラーデータとの２種類のデータを入力して、これら２種類のデータを用いたパスワードの一致によりシークレットデータを読み出すことが可能になる。よって、絵文字と色をユーザ自身で対応づけてパスワードとして登録でき、特定ユーザには覚えやすく他人には解りにくいパスワードにより、シークレットデータをアクセスすることが可能になる。
【００４２】
そして、パスワードデータ登録の際に、前記入力された絵文字が、前記カラーデータ入力手段により入力されたカラーデータに応じた色でカラー表示されて、絵文字と色で登録するパスワードを視覚的に確認することができる。
【図面の簡単な説明】
【図１】本発明のデータ記憶装置の実施形態に係わる電子手帳の電子回路の構成を示すブロック図。
【図２】前記電子手帳におけるパスワード登録／照合処理を示すフローチャート。
【図３】前記電子手帳におけるパスワード登録／照合処理に伴なうカラーパスワードの入力表示状態を示す図。
【符号の説明】
１１  …制御部（ＣＰＵ）、
１２  …キー入力部、
１２ａ…文字キー、
１２ｂ…「絵文字」キー、
１２ｃ…制御キー、
１２ｄ…カラーキー（赤，青，緑）、
１２ｅ…「登録」キー、
１２ｆ…「照合」キー、
１２ｇ…「シークレット」キー、
１２ｈ…カーソルキー、
１３  …ＲＯＭ、
１４  …絵文字／文字フォントメモリ、
１５  …パスワード編集メモリ、
１６  …パスワード格納メモリ、
１７  …ＲＡＭ、
１７ａ…入力バッファ、
１７ｂ…表示バッファ、
１７ｃ…通常アクセス可能なデータメモリ、
１７ｄ…シークレットデータメモリ、
１７ｅ…登録済みフラグレジスタ、
１８  …カラーディスプレイドライバ、
１９  …カラーディスプレイ。
【図１】
0003764961.tif 000002
【図２】
0003764961.tif 000003
【図３】
0003764961.tif 000004